(57)【要約】【課題】会員に大きな負担をかけずに会員の商品又はサービスに対する嗜好傾向を把握することが可能なサーバ装置、プログラム及び撮影画像管理システムを提供する。【解決手段】サーバ装置１は、会員を識別する会員識別情報とともに、写真データと写真データに付随している場合には撮影時のカメラの状態を示す撮影情報及び写真データに対するコメント情報とを含む写真情報を受け付けし、写真情報を会員識別情報に関係付けて記憶部３に登録する写真受付手段２１と、写真情報から抽出された会員の行動に関する行動情報に基づいて、行動情報とポイントとの関係を示すポイント表３３を参照して写真データごとにポイントを算出し、ポイントを会員識別情報に関係付けて会員が利用可能に記憶部３に登録するポイント算出手段２３とを備える。【選択図】図１
2016053941.tif 000002
【特許請求の範囲】
【請求項１】
会員を識別する会員識別情報とともに、撮影画像データと前記撮影画像データに付随している場合には撮影時のカメラの状態を示す撮影情報及び前記撮影画像データに対するコメント情報とを含む画像情報を受け付けし、前記画像情報を前記会員識別情報に関係付けて記憶手段に登録する受付手段と、
前記画像情報から抽出された前記会員の行動に関する行動情報に基づいて、前記行動情報とポイントとの関係を示すポイント表を参照して前記撮影画像データごとにポイントを算出し、前記ポイントを前記会員識別情報に関係付けて前記会員が利用可能に前記記憶手段に登録するポイント算出手段と、
を備えたサーバ装置。
【請求項２】
前記記憶手段に前記会員識別情報に関係付けて前記撮影画像データごとに登録された前記画像情報から当該会員の前記行動情報を抽出して前記会員識別情報に関係付けて前記撮影画像データごとに前記記憶手段に登録するとともに、抽出した前記行動情報を補完すべく行動情報が入力された場合には、入力された前記行動情報を前記会員識別情報に関係付けて前記撮影画像データごとに前記記憶手段に登録する行動情報抽出手段をさらに備え、 
前記ポイント算出手段は、前記記憶手段に登録された前記行動情報に基づいて、前記撮影画像データごとに前記ポイントを算出する、
請求項１に記載のサーバ装置。
【請求項３】
入力された行動情報に基づいて前記記憶手段の記憶内容を検索して対応する前記会員識別情報を取得し、取得した前記会員識別情報の会員に商品又はサービスの案内情報を提供する案内情報提供手段をさらに備えた請求項２に記載のサーバ装置。
【請求項４】
複数のテーマ又はミッションを端末装置に提示するテーマ・ミッション提示手段をさらに備え、
前記受付手段は、前記テーマ・ミッション提示手段が提示した前記複数のテーマ又はミッションから選択されたテーマ又はミッションに応じた前記画像情報を前記端末装置から送信されて受け付ける、
請求項１から３のいずれか１項の記載のサーバ装置。
【請求項５】
コンピュータを、
会員を識別する会員識別情報とともに、撮影画像データと前記撮影画像データに付随している場合には撮影時のカメラの状態を示す撮影情報及び前記撮影画像データに対するコメント情報とを含む画像情報を受け付けし、前記画像情報を前記会員識別情報に関係付けて記憶手段に登録する受付手段と、
前記画像情報から抽出された前記会員の行動に関する行動情報に基づいて、前記行動情報とポイントとの関係を示すポイント表を参照して前記撮影画像データごとにポイントを算出し、前記ポイントを前記会員識別情報に関係付けて前記会員が利用可能に前記記憶手段に登録するポイント算出手段として機能させるためのプログラム。
【請求項６】
サーバ装置と端末装置がネットワークを介して接続可能に構成された撮影画像管理システムにおいて、
前記サーバ装置は、前記端末装置から前記ネットワークを介して会員を識別する会員識別情報とともに、撮影画像データと前記撮影画像データに付随している場合には撮影時のカメラの状態を示す撮影情報及び前記撮影画像データに対するコメント情報とを含む画像情報を受け付けし、前記画像情報を前記会員識別情報に関係付けて記憶手段に登録する受付手段と、
前記画像情報から抽出された前記会員の行動に関する行動情報に基づいて、前記行動情報とポイントとの関係を示すポイント表を参照して前記撮影画像データごとにポイントを算出し、前記ポイントを前記会員識別情報に関係付けて前記会員が利用可能に前記記憶手段に登録するポイント算出手段と、
を備えた撮影画像管理システム。
【請求項７】
前記サーバ装置は、複数のテーマ又はミッションを前記端末装置に提示するテーマ・ミッション提示手段をさらに備え、
前記端末装置は、前記テーマ・ミッション提示手段が提示した前記複数のテーマ又はミッションから選択されたテーマ又はミッションに対応付けて前記画像情報を前記受付手段に送信する、
請求項６の記載の撮影画像管理システム。
【発明の詳細な説明】
【技術分野】
【０００１】
本発明は、サーバ装置、プログラム及び撮影画像管理システムに関する。
【背景技術】
【０００２】
従来、ネット販売システムにおいて、顧客のリピータ率を高め、商品の販売促進を図るに有効なイベント催行方法を提案するため、インターネット上に開設されたネットショップが管理運営するウエブサイトにおいて展示された商品としての衣服類を、該ウエブサイトにアクセスする顧客端末を介して顧客が購入するようにしたネット販売システムにおいて、上記ネットショップは、上記商品を購入した顧客がこの購入商品を着装して撮影した着装写真を募集し、所定の募集期間に応募された着装写真を審査して該募集期間における優秀写真を選定し、該優秀写真の応募者に対して特典を付与することを特徴とするネット販売システムにおけるイベント催行方法が提案されている（例えば、特許文献１参照）。
【０００３】
また、従来、美容院又は理容院で過去に処理した顧客会員のヘアスタイルを、インターネットを通じて閲覧可能としたり、インターネットを利用して新しい顧客の紹介を行えるようにするため、特定の美容院又は理容院で特定の顧客会員が過去に処理したヘアスタイルの写真と、それらのヘアスタイルの処理日及び処理内容と、顧客会員の購入ポイント及び紹介ポイントを含む履歴をインターネット用のサーバーに保存し、インターネット端末に会員番号とパスワードを入力することにより美容院又は理容院のみでなくそれ以外の任意の場所でそのインターネット用のサーバーに保存されている顧客会員のヘアスタイルの写真を含む履歴を閲覧する構成にしたことを特徴とする美容院又は理容院の管理システムが提案されている（例えば、特許文献２参照）。
【先行技術文献】
【特許文献】
【０００４】
【特許文献１】特開２０１４−５２９８９号公報
【特許文献２】特開２００２−１４９８０５号公報
【発明の概要】
【発明が解決しようとする課題】
【０００５】
しかし、上記ネット販売システムにおけるイベント催行方法では、商品を着装して撮影した写真が優秀写真に選択されると顧客に特典が付与されるので、商品の購買意欲や写真の応募意欲が高まるが、写真の内容がネットショップで販売されている商品に限られるため、顧客の一般的な購買傾向を把握することは難しい。
【０００６】
また、上記美容院又は理容院の管理システムでは、サーバに保存される写真は、特定の美容院又は理容院で撮影された写真に限られるため、他の美容院又は理容院で処理したヘアスタイルの写真を取得できないことから、顧客が好むヘアスタイルの傾向を十分に把握することは難しい。
【０００７】
一方、アンケートで顧客の商品又はサービスに対する嗜好傾向を把握することはできるが、顧客にとってアンケートに記載することは負担となる。
【０００８】
本発明の目的は、会員に大きな負担をかけずに会員の商品又はサービスに対する嗜好傾向を把握することが可能なサーバ装置、プログラム及び撮影画像管理システムを提供することにある。
【課題を解決するための手段】
【０００９】
本発明は、上記目的を達成するため、会員を識別する会員識別情報とともに、撮影画像データと前記撮影画像データに付随している場合には撮影時のカメラの状態を示す撮影情報及び前記撮影画像データに対するコメント情報とを含む画像情報を受け付けし、前記画像情報を前記会員識別情報に関係付けて記憶手段に登録する受付手段と、前記画像情報から抽出された前記会員の行動に関する行動情報に基づいて、前記行動情報とポイントとの関係を示すポイント表を参照して前記撮影画像データごとにポイントを算出し、前記ポイントを前記会員識別情報に関係付けて前記会員が利用可能に前記記憶手段に登録するポイント算出手段と、を備えたサーバ装置を提供する。
【発明の効果】
【００１０】
本発明によれば、会員に大きな負担をかけずに会員の商品又はサービスに対する嗜好傾向を把握することが可能になる。
【図面の簡単な説明】
【００１１】
【図１】図１は、本発明の第１の実施の形態に係る写真管理システムの概略の構成例を示すブロック図である。
【図２】図２（ａ）は、会員登録情報の一例を示す図、図２（ｂ）は、写真ポイント情報の一例を示す図、図２（ｃ）は、ポイント表の一例を示す図である。
【図３】図３は、会員登録後の処理の一例を示すフローチャートである。
【図４】図４は、本発明の第２の実施の形態に係る写真管理システムの概略の構成例を示すブロック図である。
【図５】図５は、ユーザ端末装置の概略の構成例を示すブロック図である。
【図６】図６は、テーマ・ミッション検索画面の一例を示す図である。
【図７】図７は、図６においてカテゴリーの「旅行」を選択した場合のテーマ・ミッションポップアップ画面の一例を示す図である。
【発明を実施するための形態】
【００１２】
以下、本発明の実施の形態について図面を参照して説明する。なお、各図中、実質的に同一の機能を有する構成要素については、同一の符号を付してその重複した説明を省略する。
【００１３】
［第１の実施の形態］
図１は、本発明の第１の実施の形態に係る写真管理システムの概略の構成例を示すブロック図である。この写真管理システム１００は、会員から収集した写真データ等の会員に関する情報を管理するサーバ装置１と、会員が使用する複数のユーザ端末装置７とを備え、サーバ装置１及び各ユーザ端末装置７はネットワーク８を介して互いに接続可能に構成されている。なお、図１ではユーザ端末装置７を２台図示しているが、２台に限られず３台以上でもよい。ここで、ユーザ端末装置７は、端末装置の一例である。また、写真データは、撮影画像データの一例である。撮影画像データとして動画データでもよい。また、写真管理システムは、撮影画像管理システムの一例である。
【００１４】
本写真管理システム１００は、会員がカメラ（図示せず）で撮影した写真データをユーザ端末装置７からネットワーク８を介してサーバ装置１に送信すると、写真情報から抽出された行動情報に応じて写真あるいは会員にポイントが付与されるように構成されている。本実施の形態では、サーバ装置１の運営主体（企業）が主に旅行会社の場合について説明する。
【００１５】
ここで、「写真情報」とは、写真データ、撮影情報及びコメント情報を含む情報をいう。写真情報は、画像情報の一例である。「撮影情報」とは、カメラが取得して写真データに付随された情報であって、撮影時のカメラの状態（撮影日時、ＧＰＳ情報（緯度、経度）、カメラのメーカ名、カメラの機種名等）を示す情報をいう。「コメント情報」とは、写真データに対して会員が付随させた情報であり、例えば写真データのタイトル、被写体名、写真を撮影した時期や場所、感想等が含まれる。「行動情報」とは、写真情報から抽出された抽出情報であって会員の行動に関する情報であり、会員の活動時期や活動場所、ドライブ、旅行等の会員の趣味の活動、散歩、演奏等の余暇の活動、ランチ、朝活等の日常行動、スカイダイビング等の非日常行動の情報を含み、キーワードで表現されてもよい。
【００１６】
カメラは、デジタルカメラ、カメラ付き携帯電話機、多機能携帯電話機（スマートフォン）等を用いることができる。なお、カメラが通信機能を有している場合には、ユーザ端末装置７を兼ねてもよい。
【００１７】
ネットワーク８は、有線通信（電気ケーブル、光ケーブル等）及び無線通信（電波、赤外線等）等によりデータの送受信を行うインターネット等の通信網である。
【００１８】
（サーバ装置の構成）
サーバ装置１は、本装置１の各部を制御する制御部２と、各種の情報を記憶する記憶部３と、液晶ディスプレイ等で実現される表示部４と、キーボード、マウス等で実現される入力部５と、ネットワーク８を介してユーザ端末装置７、データベース等の外部装置と通信を行う通信部６とを有して概略構成されている。
【００１９】
制御部２は、ＣＰＵ（Central Processing Unit）等によって構成され、写真管理プログラム３０を実行することにより、会員登録手段２０、写真受付手段２１、行動情報抽出手段２２、ポイント算出手段２３、案内情報提供手段２４等として機能する。なお、制御部２の各手段２０〜２４は、全部又は一部がＡＳＩＣ（Application Specific Integrated Circuit）等のハードウエアによって実現されてもよい。
【００２０】
記憶部３は、ＲＯＭ（Read Only Memory）、ＲＡＭ（Random Access Memory）、ハードディスク等から構成され、写真管理プログラム３０、会員登録情報３１、写真ポイント情報３２、ポイント表３３、顔画像情報３４等を記憶する。会員登録情報３１、写真ポイント情報３２、ポイント表３３の詳細については後述する。
【００２１】
顔登録情報３４には、顔画像の特徴情報と氏名とが関係付けられて登録されている。行動情報抽出手段２２が有する顔認識機能により写真データから認識した顔画像の特徴情報に対して、例えばサーバ装置１の管理者が会員によって付加された写真データに対するコメント情報を参照して氏名を入力することにより、顔画像の特徴情報と氏名とを関係付けて顔登録情報３４として登録してもよい。また、会員がfacebook（登録商標）、Twitter（登録商標）等のＳＮＳ（social networking service）を用いている場合には、管理者がＳＮＳに掲載されている写真に付随する情報から氏名を取得してもよい。
【００２２】
（会員登録手段の構成）
会員登録手段２０は、ユーザ端末装置７から送信された会員登録申請書に基づいて会員登録を行う。また、会員登録手段２０は、ユーザ端末装置７から送信された会員ＩＤ及びパスワードに基づいてユーザの認証を行う。会員ＩＤは、会員を識別する会員識別情報の一例である。会員登録申請書には、例えば、氏名、住所、パスワード、メールアドレス、家族構成、ＳＮＳの使用の有無等が記載される。
【００２３】
（写真受付手段の構成）
写真受付手段２１は、ユーザ端末装置７から会員ＩＤ及びパスワードとともに送信された写真データと写真データに付随している場合には撮影時のカメラの状態を示す撮影情報及び写真データに対するコメント情報とを含む写真情報を受け付ける。また、写真受付手段２１は、受け付けた写真情報を会員ＩＤに関係付けて記憶部３の写真ポイント情報３２に登録する。
【００２４】
なお、カメラが撮影時のカメラの状態を示す撮影情報を写真データに付随させる機能を有していない場合には、撮影情報は写真情報に含まれない。また、写真情報は、コメント情報を含めずに写真データ及び撮影情報を含むものでもよく、写真データのみを含むものでもよい。また、複数の写真データとこれらの写真データに対して１つのコメント情報を含む写真情報をサーバ装置１に送信してもよい。
【００２５】
写真データは、会員の行動情報を抽出するためのものであるから、例えば、観光、旅行、登山、ハイキング、キャンプ、花見、花火、釣り、スキー、ダイビング、ゴルフ、ツーリング、運動会、音楽会、食事会、記念行事（誕生日会、成人式、七五三、還暦祝い、入学式、卒業式等）等のイベントの写真や、動物園、水族館、遊園地、博物館、観光地等の行楽地や施設における写真、集合写真、記念写真、家族写真、趣味を示す写真等が好ましい。また、写真データは、サーバ装置１の運営主体が予め定めた写真の種類に限ってもよい。例えば、旅行会社がサーバ装置１の運営主体である場合は、旅先の写真に限ってもよい。
【００２６】
写真データのフォーマットは、写真から会員の行動情報を抽出し易いことから、例えば日本電子工業振興協会（ＪＥＩＤＡ）で規格化されたＥｘｉｆ（Exchangeable image file format）が好ましい。Ｅｘｉｆは、メタデータ（撮影情報）として撮影日時、ＧＰＳ情報（緯度、経度）、カメラのメーカ名、カメラの機種名等が含まれる。
【００２７】
コメント情報には、例えば写真データのタイトル、被写体名、写真を撮影した時期や場所、感想等が含まれる。
【００２８】
（行動情報抽出手段の構成）
行動情報抽出手段２２は、記憶部３の写真ポイント情報３２に会員ＩＤに関係付けて登録された写真情報から行動情報を抽出する。具体的には、写真受付手段２１が受け付けた写真データのフォーマットがＥｘｉｆの場合は、行動情報抽出手段２２は、撮影情報から撮影日時及びＧＰＳ情報を抽出し、ＧＰＳ情報をネットワーク８上の図示しない地図データデータベースにアクセスして地名（撮影場所）に変換する。写真情報にコメント情報が含まれている場合には、行動情報抽出手段２２は、ネットワーク８上の図示しない辞書データベースを参照してコメント情報から撮影日時、撮影場所、被写体名等のキーワードを抽出する。
【００２９】
写真に人物の顔が含まれている場合には、行動情報抽出手段２２が有する顔認識機能により人物の顔画像の特徴情報を認識し、その顔画像の特徴情報と記憶部３に登録されている顔登録情報３４とを照合して同一性がある顔画像を検索できた場合には、顔登録情報３４に登録されている氏名を抽出する。また、行動情報抽出手段２２は、抽出した撮影日時、撮影場所、被写体名等を行動情報として記憶部３の写真ポイント情報３２に登録する。
【００３０】
また、行動情報抽出手段２２は、写真情報から行動情報を抽出する際に、写真データから抽出される特徴情報と写真データに付されるラベル（自動車、花、犬、山、海、顔等）とを対にした学習コーパスを予め用意し、特徴情報とラベルとの関係について、例えば特徴情報を２つのグループに順次分岐するツリー構造の識別器を用いて予め機械学習を行っておく。写真受付手段２２が受け付けた写真データから行動情報抽出手段２２が特徴量を抽出し、その特徴量がどのラベルに所属するかを、学習したツリー構造の識別器を用いて識別し、そのラベルを行動情報として抽出してもよい。例えば、花の写真データが６つのカテゴリに分類される場合、識別器が６つ用いられる。各識別器は、それぞれに割り当てられたカテゴリの写真データの特徴量が入力されたときに、それぞれ最大のスコア値を出力するように構成されている。そして、写真データの特徴量が各識別器に入力されたとき、最も高いスコア値を出力した識別器に対応するカテゴリが識別結果とされる。なお、学習コーパスは、Ｗｅｂ上に存在する画像及びタグを対の写真データ及びラベルとして取得してもよい。
【００３１】
（ポイント算出手段の構成）
ポイント算出手段２３は、記憶部３の写真ポイント情報３２に登録された行動情報に基づいて、ポイント表３３を参照して写真データごとにポイントを算出する。
【００３２】
また、ポイント算出手段２３は、算出したポイントを会員ＩＤに関係付けて会員が利用可能に記憶部３が記憶する写真ポイント情報３２に登録する。さらに、ポイント算出手段２３は、同一の会員に対してポイントが複数登録された場合には、その都度累計ポイントを算出し、ポイントが使用されたときは、それをマイナスとして累計ポイントを算出し、写真ポイント情報３２に登録する。
【００３３】
（案内情報提供手段の構成）
管理者は、写真ポイント情報３２に登録された行動情報に基づいて会員ごとの嗜好傾向を示す嗜好情報を会員登録情報３１に登録する。ここで、嗜好情報とは、会員の行動情報から把握されるものであり、会員の商品又はサービスに対する嗜好傾向を示す情報をいう。案内情報提供手段２４は、入力部５から入力された嗜好情報を示すキーワードを含む会員を会員登録情報３１から検索し、表示部４に会員のリストを表示する。
【００３４】
また、案内情報提供手段２４は、表示した会員のリスト、又は表示部４に対して会員が追加又は削除された場合には、追加又は削除後の会員のリストに対して会員登録情報３１のメールアドレスを参照して商品又はサービスの案内情報を電子メールで送信する。なお、案内情報は郵送でもよい。ここで、案内情報とは、会員の嗜好傾向にあった商品又はサービスの情報、例えば新商品、新サービスの情報である。また、写真ポイント情報３２に登録されている写真データのうち会員により選択された写真データをアルバムにして会員に届ける案内情報でもいい。
【００３５】
（ユーザ端末装置の構成）
ユーザ端末装置７は、例えば、パーソナルコンピュータ、携帯情報端末（ＰＤＡ）、カメラ付き携帯電話機、多機能携帯電話機（スマートフォン）等を用いることができる。
【００３６】
ユーザは、ユーザ端末装置７を操作して会員登録に必要な情報、例えば会員登録申請書（氏名、住所、パスワード、メールアドレス等を含む。）をネットワーク８を介してサーバ装置１に送信し、会員登録されると、サーバ装置１から会員ＩＤがユーザ端末装置７に送信される。なお、会員ＩＤは郵送により会員に通知されてもよい。
【００３７】
ユーザ端末装置７は、会員ＩＤ及びパスワードをネットワーク８を介してサーバ装置１に送信し、認証が成立すると、写真データ、撮影時のカメラの状態を示す撮影情報、及び写真データに対するコメント情報を含む写真情報をネットワーク８を介してサーバ装置１に送信する。なお、カメラが撮影時のカメラの状態を示す撮影情報を写真データに付随させる機能を有していない場合には、写真情報として写真データ及びコメント情報をサーバ装置１に送信する。このとき、写真情報として写真データのみをサーバ装置１に送信してもよい。
【００３８】
図２（ａ）は、会員登録情報３１の一例を示す図、図２（ｂ）は、写真ポイント情報３２の一例を示す図、図２（ｃ）は、ポイント表３３の一例を示す図である。
【００３９】
会員登録情報３１は、図２（ａ）に示すように、会員ＩＤ、氏名、住所、パスワード、メールアドレス、家族構成、嗜好情報の各項目から構成されている。氏名、住所、パスワード、メールアドレス、家族構成、ＳＮＳの使用の有無は、ユーザが会員登録申請書から得られる項目である。会員ＩＤはユーザが会員になったときにユーザ（会員）に付与される項目である。嗜好情報は、管理者によって入力された項目である。なお、会員登録情報３１は、図２（ａ）に示す項目に限られず、他の項目を含んでもよい。
【００４０】
写真ポイント情報３２は、図２（ｂ）に示すように、受信日時又は利用日時、利用内容、写真データ、撮影日時（撮影情報）、撮影場所（撮影情報）、コメント情報、行動情報、ポイント、ポイント累計の各項目から構成されている。なお、写真ポイント情報３２は、会員ＩＤ（０００１）の場合を示しており、他の会員ＩＤも同様の項目で構成されている。また、写真ポイント情報３２は、図２（ｂ）に示す項目に限られず、他の項目を含んでもよい。写真データ、撮影情報及びコメント情報は、写真情報３２ａを構成する。
【００４１】
ポイント表３３は、図２（ｃ）に示すように、写真の内容、すなわち行動情報に応じてポイントが定められている。図２（ｃ）に示す場合は、写真のみでコメント情報がない場合は、１ポイント、撮影時期又は撮影場所を含む撮影情報には２ポイント、イベント名を含むコメント情報には５ポイントが与えられる。行動情報に対応するポイントは、図２（ｃ）のものに限られない。
【００４２】
（写真管理システムの動作）
次に、写真管理システム１００の動作の一例を説明する。図３は、会員登録後の処理の一例を示すフローチャートである。
【００４３】
（１）会員登録
ユーザは、ユーザ端末装置７を操作して会員登録申請書をネットワーク８を介してサーバ装置１に送信する。
【００４４】
サーバ装置１は、ユーザ端末装置７から送信された会員登録申請書を通信部６を介して受信すると、会員登録手段２０は、会員登録申請書が適式であるか否かを判断し、適式と判断すると、会員登録する。すなわち、会員登録手段２０は、会員ＩＤを生成し、会員ＩＤ及び会員登録申請書に記載されている内容を記憶部３が記憶する会員登録情報３１に登録する。また、会員登録手段２０は、会員登録の判断結果ととともに会員ＩＤを通信部６及びネットワーク８を介してユーザ端末装置７に送信する。
【００４５】
（２）会員登録後の処理
会員は、ユーザ端末装置７を操作して会員ＩＤ及びパスワードとともに、写真データ、撮影情報及びコメント情報を含む写真情報をネットワーク８を介してサーバ装置１に送信する。サーバ装置１の会員登録手段２０は、ユーザ端末装置７から送信された会員ＩＤ及びパスワードが会員登録情報３１に登録されているか否かを判断し、会員登録情報３１に登録されている場合には、写真受付手段２１は、会員ＩＤ及び写真情報を受け付けし、受け付けた写真情報を会員ＩＤに関係付けて記憶部３の写真ポイント情報３２に登録する（Ｓ１）。
【００４６】
行動情報抽出手段２２は、記憶部３の写真ポイント情報３２に登録された写真情報から行動情報を抽出する（Ｓ２）。行動情報抽出手段２２は、抽出した行動情報を記憶部３の写真ポイント情報３２に登録する（Ｓ３）。行動情報抽出手段２２は、写真データ及び抽出した行動情報を表示部４に表示する（Ｓ４）。行動情報抽出手段２２は、入力部５から行動情報の入力があるか否かを判断する（Ｓ５）。入力部５から行動情報の入力があると（Ｓ５：Ｙｅｓ）、行動情報抽出手段２２は、入力された行動情報を記憶部３の写真ポイント情報３２に登録する（Ｓ６）。
【００４７】
ポイント算出手段２３は、写真ポイント情報３２に登録された行動情報に基づいて、ポイント表３３を参照して写真データごとにポイントを算出する（Ｓ７）。また、ポイント算出手段２３は、算出したポイントを会員ＩＤに関係付けて会員が利用可能に記憶部３が記憶する写真ポイント情報３２に登録する（Ｓ８）。
【００４８】
図２（ｂ）に示す写真ポイント情報３２は、会員ＩＤ（０００１）の○○花子さんが、９月３日２０：２３に写真データ（Ｄ０００１）をサーバ装置１に送信したことを示している。また、写真データ（Ｄ０００１）の撮影情報には、撮影日時（8/20 10:10）、ＧＰＳ情報（ａａ、ｂｂ）が含まれている。行動情報抽出手段２２は、撮影日時から撮影時期として夏、ＧＰＳ情報から撮影場所として「上海」を抽出している。ポイント算出手段２３は、写真データ（Ｄ０００１）については、写真データが送信されたことで１ポイント、撮影時期及び撮影場所を含む撮影情報が存在するので、４ポイントで合計５ポイントを登録している。写真データ（Ｄ０００２）については、写真データが送信されたことで１ポイント、撮影時期及び撮影場所を含む撮影情報が存在するので、４ポイント、コメント情報にイベント名が含まれているので、５ポイントで合計１０ポイントを登録している。
【００４９】
（３）案内情報の提供
管理者は、写真ポイント情報３２に登録された行動情報に基づいて会員ごとの嗜好傾向を示す嗜好情報を会員登録情報３１に登録する。図２（ａ）に示す場合は、会員ＩＤ（０００１）については、図２（ｂ）に示す行動情報は、夏、上海、山梨、ワイン試飲という内容であるので、○○花子さんは、海外旅行、ワインが好きという嗜好情報を入力部５を操作して会員ＩＤ（０００１）に関係付けて入力する。制御部２は、入力された海外旅行、ワインのキーワードを会員ＩＤ（０００１）に対応して会員登録情報３１に登録する。
【００５０】
案内情報提供手段２４は、入力部５から入力された嗜好情報を示すキーワード、例えば行楽地名を嗜好情報に含む会員を写真ポイント情報３２からリストアップし、表示部４にその会員のリストを表示する。管理者は、表示部４に表示された会員のリストに対して必要に応じて会員の追加又は削除を行う。管理者は、送信すべき商品又はサービスの案内情報を入力部５を操作して入力し、送信指示を行うと、案内情報提供手段２４は、表示した会員のリスト、又は表示部４に対して会員が追加又は削除された場合には、追加又は削除後の会員のリストに対して会員登録情報３１のメールアドレスを参照して入力された商品又はサービスの案内情報を電子メールで送信する（Ｓ９）。
【００５１】
（第１の実施の形態の効果）
第１の実施の形態によれば、以下の効果を奏する。
（ａ）写真データを送信した会員にポイントを付与することで、会員ごとに写真の収集が容易になる。
（ｂ）写真情報から行動情報を抽出して会員ごとに登録し、行動情報の履歴情報から会員の商品又はサービスに対する嗜好傾向を把握することが可能になる。
（ｃ）会員の嗜好傾向を把握することで、嗜好傾向に応じた案内情報を提供することができる。
（ｄ）会員がアンケートに記載する場合と比べて写真データを送信するという簡単な方法により写真を収集することができるので、会員に大きな負担をかけずに会員の商品又はサービスに対する嗜好傾向を把握することが可能になる。
【００５２】
［第２の実施の形態］
図４は、本発明の第２の実施の形態に係る写真管理システムの概略の構成例を示すブロック図である。第１の実施の形態は、サーバ装置１とユーザ端末装置７とをネットワーク８を介して接続したが、本実施の形態は、サーバ装置１と店舗端末装置９とユーザ端末装置７Ａとをインターネット８Ａを介して接続したものである。以下、第１の実施の形態と異なる点を中心に説明する。
【００５３】
この写真管理システム１００は、会員から収集した写真データ等の会員に関する情報を管理する第１の実施の形態と同様のサーバ装置１と、コンビニエンスストア、デパート等の店舗に設置された店舗端末装置９と、会員が使用する複数のユーザ端末装置７Ａとを備え、サーバ装置１、店舗端末装置９及び各ユーザ端末装置７Ａはインターネットによるネットワーク８Ａを介して互いに接続可能に構成されている。なお、図１では店舗端末装置９を１台図示しているが、１台に限られず、２台以上でもよい。また、図１ではユーザ端末装置７Ａを２台図示しているが、２台に限られず３台以上でもよい。ここで、ユーザ端末装置７Ａは、端末装置の一例である。
【００５４】
（サーバ装置の構成）
サーバ装置１は、本装置１の各部を制御する制御部２と、各種の情報を記憶する記憶部３と、液晶ディスプレイ等で実現される表示部４と、キーボード、マウス等で実現される入力部５と、ネットワーク８Ａを介して店舗端末装置９、ユーザ端末装置７Ａ、データベース等の外部装置と通信を行う通信部６とを有して概略構成されている。
【００５５】
制御部２は、第１の実施の形態と同様に、ＣＰＵ等によって構成され、写真管理プログラム３０を実行することにより、会員登録手段２０、写真受付手段２１、行動情報抽出手段２２、ポイント算出手段２３、案内情報提供手段２４等として機能し、本実施の形態ではさらにテーマ・ミッション提示手段２５としても機能する。なお、制御部２の各手段２０〜２５は、全部又は一部がＡＳＩＣ等のハードウエアによって実現されてもよい。
【００５６】
記憶部３は、第１の実施の形態と同様に、ＲＯＭ、ＲＡＭ、ハードディスク等から構成され、写真管理プログラム３０、会員登録情報３１、写真ポイント情報３２、ポイント表３３、顔画像情報３４等を記憶する。
【００５７】
会員登録手段２０は、ユーザ端末装置７Ａにおける後述する会員情報登録・修正画面に対する操作に基づいて会員登録を行う。また、ユーザ端末装置７Ａ又は店舗端末装置９から送信された会員IＤに基づいてユーザの認証を行う。なお、会員IＤ及びパスワードでユーザの認証を行ってもよい。
【００５８】
写真受付手段２１は、ユーザ端末装置７Ａから後述するテーマ・ミッション検索画面が有する機能を用いて会員IＤとともに送信された写真情報を受け付ける。
【００５９】
行動情報抽出手段２２は、第１の実施の形態と同様に、記憶部３の写真ポイント情報３２に会員ＩＤに関係付けて登録された写真情報から行動情報を抽出する。
【００６０】
ポイント算出手段２３は、第１の実施の形態と同様に、写真データごとにポイントを算出し、算出したポイントを会員ＩＤに関係付けて会員が利用可能に記憶部３が記憶する写真ポイント情報３２に登録する。
【００６１】
案内情報提供手段２４は、第１の実施の形態と同様に、商品又はサービスの案内情報を電子メールで送信する。
【００６２】
テーマ・ミッション提示手段２５は、複数のテーマ又はミッションをユーザ端末装置７Ａに提示する。ここで、「テーマ」とは、風景写真、紅葉等の被写体やペット目線で撮影するなどの主題をいう。また、「ミッション」とは、北海道のツアーガイドに掲載されていない場所の写真を撮影するといった撮影場所、撮影時期、テーマ等を指定した任務や使命等をいう。
【００６３】
（店舗端末装置の構成）
店舗端末装置９は、ＣＰＵ等によって構成された制御部、各種の情報を記憶する記憶部、ネットワーク８Ａを介してサーバ装置１と通信を行う通信部、会員コード読取部９０等を有して概略構成されている。会員コード読取部９０は、ユーザ端末装置７Ａの表示操作部７２に表示された後述する会員コード表示画面上の会員コード７１１を読み取り、会員コード７１１を会員ＩＤに変換する。制御部は、会員コード読取部９０が読み取って変換した会員ＩＤをサーバ装置１に送信し、当該会員が現在登録されている会員であるかどうかを確認する。なお、会員コード７１１に会員IＤ及びパスワードが含まれている場合には、会員コード７１１から会員ＩＤ及びパスワードを読み取る。また、会員ＩＤの代わりに会員コード７１１をサーバ装置１に送信してもよい。
【００６４】
（ユーザ端末装置の構成）
図５は、ユーザ端末装置７Ａの概略の構成例を示すブロック図である。ユーザ端末装置７Ａは、例えば、カメラ付きパーソナルコンピュータ、カメラ付き携帯電話機、スマートフォン等を用いることができる。
【００６５】
ユーザ端末装置７Ａは、ＣＰＵ等によって構成された制御部７０と、各種の情報を記憶する記憶部７１と、各種の情報を入力及び表示する表示操作部７２と、ネットワーク８Ａを介してサーバ装置１との間で無線通信を行う無線通信部７３と、カメラ７４と、マイク（ＭＩＣ）７５と、スピーカ（ＳＰ）７６とを備える。
【００６６】
ユーザは、ユーザ端末装置７Ａにおいて後述する会員情報登録・修正画面に対して会員登録に必要な情報（氏名、住所、パスワード、メールアドレス等）を入力し、その情報をネットワーク８Ａを介してサーバ装置１に送信し、会員登録されると、サーバ装置１から会員ＩＤがユーザ端末装置７Ａに送信される。
【００６７】
記憶部７１は、ＲＯＭ、ＲＡＭ、ハードディスク等から構成され、ウェブブラウザ等のプログラム７１０、会員コード７１１、写真情報等を記憶する。会員コード７１１は、例えば、バーコード等の一次元コード又はＱＲ（登録商標）コード等の二次元コードからなる。
【００６８】
表示操作部７２は、液晶ディスプレイ等の表示部にタッチパネルを重ねて配置した構成を有する。
【００６９】
制御部７０は、会員IＤをネットワーク８Ａを介してサーバ装置１に送信し、認証が成立すると、写真データ、撮影時のカメラの状態を示す撮影情報、及び写真データに対するコメント情報を含む写真情報をネットワーク８Ａを介してサーバ装置１に送信する。なお、サーバ装置１の会員登録手段２０が会員ＩＤ及びパスワードを用いて認証を行ってもよい。
【００７０】
また、制御部７０は、ユーザ端末装置７Ａが起動されると、表示操作部７２に複数のアイコンからなるメインメニュー画面を表示し、メインメニュー画面に含まれるアイコンが選択されると、選択されたアイコンの画面を表示操作部７２に表示し、表示した画面に対して必要な入力又は選択を受け付ける。
【００７１】
上記メインメニュー画面には、ホームロゴ画面、会員コード表示画面、ポイント・特典照会画面、テーマ・ミッション検索画面、会員情報登録・修正画面、最新ニュース参照画面、提携先オンラインストアへのリンク、投稿画像ギャラリー等のアイコンが表示され、さらに、画像・コメントのＳＮＳ連携機能を有する。上記メインメニュー画面及び上記の各画面は、制御部７０がサーバ装置１によって作成されたＷｅｂページを記憶部７１に記憶されたウェブブラウザにより閲覧することで表示操作部７２に表示される。
【００７２】
ホームロゴ画面には、サーバ装置１の運営主体を表すハウスマーク、タイトル、現在のポイント・特典、テーマ・ミッションの達成状況を示すステータス等が表示される。
【００７３】
会員コード表示画面には、会員コード７１１が例えばバーコードで表示される。会員コード表示画面は、制御部７０が記憶部７１から会員コード７１１を読み出して生成される。店舗端末装置の会員コード読取部９０に会員コード表示画面をかざすことにより会員コード７１１が読み取られ、会員カードとして利用可能となる。
【００７４】
ポイント・特典照会画面には、現在会員に付与されているポイント・特典、及びポイント・特典が利用できる現在地点の近郊の施設の一覧等が表示される。ポイント・特典が利用できる施設の一覧は、ユーザ端末装置７Ａが有するＧＰＳ機能を利用することで実現することができる。
【００７５】
テーマ・ミッション検索画面は、現在有効なポイント・特典付与の対象のテーマ・ミッションを検索表示する機能を有する。例えば、ユーザ端末装置７Ａが有するＧＰＳ機能を利用して現在の地点の近郊で達成可能なテーマ・ミッションのリストをテーマ・ミッション検索画面に表示し、ユーザがテーマ・ミッションを選択すると、カメラが起動するように構成されている。
【００７６】
また、テーマ・ミッション検索画面は、テーマ・ミッションに対して撮影した画像に対してコメントを入力する機能を有する。また、テーマ・ミッション検索画面は、会員IＤとともに、テーマ・ミッション（例えばテーマ・ミッションＩＤ）と画像とを紐付けてサーバ装置１に送信する機能を有する。従来、個人のスマートフォンや携帯にカメラ機能は搭載されているが、メールなどの機能では送信が面倒であったが、本機能により撮影した画像の送信が容易になる。
【００７７】
また、テーマ・ミッション検索画面は、過去の送信画像及びコメントを、テーマ・ミッション、付与されたポイント・特典単位で参照する機能を有する。選択したテーマ・ミッション達成の進捗状況に応じたステータスを称号（心優しきルーキー、至恩の覇者等）、パーセントで表示する機能を有する。テーマ・ミッションは、例えば撮影対象、撮影場所、撮影期間等からなる。テーマ・ミッション検索画面は、サーバ装置１によって作成されたＷｅｂページを閲覧することで表示操作部７２に表示される。
【００７８】
図６は、テーマ・ミッション検索画面の一例を示す図である。同図に示すテーマ・ミッション検索画面７２０には、上部に検索窓７２０ａが設けられ、テーマ・ミッションに対する検索するためのキーワードを入力できるようになっている。検索窓７２０ａの下には、「食べ物」、「ファッション」、「ペット」、「旅行」、「面白系」等のカテゴリーが表示されるカテゴリー欄７２０ｂが設けられている。カテゴリー欄７２０ｂの下には、新規ミッションや人気ミッションの一覧を表示する新規・人気一覧７２０ｃが設けられている。カテゴリー欄７２０ｂからカテゴリーを選択することにより、選択されたカテゴリーのテーマ・ミッションポップアップ画面が表示操作部７２に表示されるように構成されている。
【００７９】
図７は、図６においてカテゴリーの「旅行」を選択した場合のテーマ・ミッションポップアップ画面の一例を示す図である。テーマ・ミッションポップアップ画面７２１には、上部にミッションの内容や条件を表示するミッション表示欄７２１ａが設けられ、ミッション表示欄７２１ａの下にはどのような写真を撮ったいいかを例示するためのサンプル写真７２１ｂが表示され、その下部にカメラアイコン７２１ｃが設けられている。カメラアイコン７２１ｃをダブルタップすることにより、表示操作部７２の表示画面が撮影ボタンを表示画面の端部に表示したカメラ撮影モードに切り替わる。
【００８０】
（テーマ・ミッションの付与例）
テーマ・ミッションは、各企業が自由に指定可能である。一般的な例を以下に示す。また、単体での達成・複数組み合わせ達成・全達成などで付与するポイント・特典を差別化することにより、顧客の意欲を促進させることも可能である。
・自社製品を利用している画像、利用シチュエーションの指定
・場所や背景の指定
・服装や装飾品の指定
・物や食べ物の種類の指定
・利用交通手段の指定
・天候や自然現象の指定
企画として達成困難なテーマ・ミッションを設定し、会員に高いポイント、特典や称号を付与することで、ゲームのレアアイテム感覚のような価値を持たせることができる。
【００８１】
会員情報登録・修正画面は、新規会員登録機能を有しており、同画面には、氏名、住所、メールアドレス、性別、電話番号、テーマ・ミッションに対して投稿した画像の公開の可否、プッシュ情報送信の可否等を入力できるように構成されている。なお、同画面には、その他、サーバ装置１の運営主体たる企業が取得したい情報を追加してもよい。また、会員情報登録・修正画面は、登録されている会員情報を表示し、表示した登録内容を修正できる機能を有する。例えば、登録されているメールアドレスや住所を修正することができる。その他、サーバ装置１の運営主体たる企業の会員申し込み情報に応じて項目を追加してもよい。
【００８２】
最新ニュース参照画面は、セールやキャンペーン等の配信情報を参照する機能を有する。ユーザ端末装置７Ａが有するＧＰＳ機能を利用して現在地点の近郊の各運営主体が提携する企業のセールやキャンペーン情報が参照可能となる。また、会員のテーマ・ミッション達成の進捗状況や達成項目から会員の趣味、嗜好を判断して、会員の趣味、嗜好に対応したセールやキャンペーン情報を表示する機能を有する。これにより会員から取得した画像をＣＲＭ（Customer Relationship Management）で活用することが可能になる。
【００８３】
自社・提携先オンラインストアへのリンクは、自社又は運営主体の提携先のオンラインショップＥＣ（electronic commerce）サイト・企業ホームページ等へのリンク一覧を表示する。会員のテーマ・ミッション達成の進捗状況や達成項目から会員の趣味、嗜好を判断して、会員の趣味、嗜好に対応した商品やショップのＥＣサイトを表示する機能を有する。これにより会員から取得した画像をＣＲＭで活用することが可能になる。
【００８４】
画像・コメントのＳＮＳ連携機能は、テーマ・ミッションに対して撮影された画像をＳＮＳ（facebook、Twitter等）に投稿する機能である。
【００８５】
投稿画像ギャラリーは、画像公開を許可している他の会員のテーマ・ミッション別画像とコメントをギャラリーとして公開するものである。画像公開している会員同士のＳＮＳ連携が可能になる。
【００８６】
（第２の実施の形態の効果）
第２の実施の形態によれば、上記第１の実施の形態による効果に加えて以下の効果を奏する。
（ａ）会員のメリット
・一般的会員ポイントは購入時にしか付与されないが、この仕組みは日常の行動内でポイント・特典を得ることが可能になる。
・テーマ・ミッションが提示されて、その内容に応じたポイント・特典や称号が付与されることにより、ゲーム感覚の楽しみを得ることができる。
・保持している会員カード（アプリケーション）の提携先の数や種類に応じて、利用できる場所（外出先・旅先）や特典内容が充実される。
・テーマ・ミッションに応じた写真・画像の管理ツールとして利用可能である。各種ＳＮＳへの写真投稿も簡易的に連携が可能になる。
・テーマ・ミッション達成の進捗状況と付与されたポイント・特典内容を利用できる企業や店舗の参照が可能になる。
・テーマ・ミッションの画像やコメントを公開することで、公開ギャラリーを通じて会員同士のコミュニケーションが生まれる。
（ｂ）運営主体のメリット
・一般的な会員ポイントカードと差別化された内容でアピールできる。
・テーマ・ミッションを共有することにより、運営主体と顧客とのコミュニケーションが発生する。
・提携企業との双方誘導が可能になる。
・テーマ・ミッションを企業サイドで取得したい情報や誘導したい場所などで設定することにより、情報リーサーチだけでなく、店舗や商品やEＣサイトへの誘導として利用可能になる。
・画像分析・統計を行うことにより、ＣＲＭ・マーケティングデータとして活用することが可能になる。
【００８７】
なお、テーマ又はミッションに応じて送信された写真に対してテーマ又はミッションに合致しているものと合致していなものとでポイントに差を設けてもよい。例えば、合致しているものは２ポイント、合致しないものは１ポイント又は０ポイントとしてもよい。
【００８８】
［第３の実施の形態］
上記第１及び第２の実施の形態は、撮影画像データとして写真データを対象としたが、本発明の第３の実施の形態は、撮影画像データとして動画データを対象としたものである。
【００８９】
本実施の形態の撮影画像管理システムは、第１の実施の形態と同様に、サーバ装置と端末装置がネットワークを介して接続可能に構成されている。
【００９０】
サーバ装置は、会員を識別する会員識別情報とともに、動画データと動画データに付随している場合には撮影時のカメラの状態を示す撮影情報及び動画データに対するコメント情報とを含む画像情報を受け付けし、画像情報を会員識別情報に関係付けて記憶手段に登録する受付手段と、画像情報から抽出された会員の行動に関する行動情報に基づいて、行動情報とポイントとの関係を示すポイント表を参照して撮影画像データごとにポイントを算出し、ポイントを会員識別情報に関係付けて会員が利用可能に記憶手段に登録するポイント算出手段とを備える。
【００９１】
また、サーバ装置は、記憶手段に会員識別情報に関係付けて動画データごとに登録された画像情報から当該会員の行動情報を抽出して会員識別情報に関係付けて動画データごとに記憶手段に登録するとともに、抽出した行動情報を補完すべく行動情報が入力された場合には、入力された行動情報を会員識別情報に関係付けて動画データごとに記憶手段に登録する行動情報抽出手段をさらに備え、ポイント算出手段は、記憶手段に登録された前記行動情報に基づいて、動画データごとにポイントを算出するものとしてもよい。
【００９２】
また、サーバ装置は、入力された行動情報に基づいて記憶手段の記憶内容を検索して対応する会員識別情報を取得し、取得した会員識別情報の会員に商品又はサービスの案内情報を提供する案内情報提供手段をさらに備えてもよい。
【００９３】
また、サーバ装置は、第２の実施の形態と同様に、複数のテーマ又はミッションを端末装置に提示するテーマ・ミッション提示手段をさらに備え、受付手段は、テーマ・ミッション提示手段が提示した複数のテーマ又はミッションから選択されたテーマ又はミッションに応じた画像情報を端末装置から送信されて受け付けてもよい。
【００９４】
［他の実施の形態］
なお、本発明の実施の形態は、上記実施の形態に限定されるものではなく、本発明の要旨を変更しない範囲内で種々に変形、実施が可能である。上記実施の形態では、主にサーバ装置１の運営主体が旅行会社の場合について説明したが、他の会社がサーバ装置１の運営主体の場合にも本発明は適用できる。例えば、自動車販売会社がサーバ装置１の運営主体の場合は、自動車に関する写真又は動画には自動車に無関係な写真又は動画よりも高いポイントを与えてもよい。
【００９５】
上記第１及び第２の実施の形態では、行動情報抽出手段２２が写真情報から行動情報を抽出したが、行動情報抽出手段２２を用いずに管理者のみが写真情報から行動情報を抽出してもよい。これと同様に、行動情報抽出手段を用いずに管理者のみが画像情報から行動情報を抽出してもよい。
【００９６】
上記実施の形態では、会員にポイントを付与することを中心に説明したが、会員が獲得したポイントに応じて割引やプレゼント等の特典を会員に付与してもよい。
【００９７】
また、上記各実施の形態において、撮影画像データとして写真データと動画データの両方を対象としてもよい。
【００９８】
また、本発明の要旨を変更しない範囲内で、上記実施の形態の構成要素の一部を省くことが可能であり、上記実施の形態のフローにおいて、ステップの追加、削除、変更、入替え等が可能である。また、上記実施の形態で用いたプログラムをＣＤ−ＲＯＭ等のコンピュータ読み取り可能な記録媒体に記録して提供することもできる。
【符号の説明】
【００９９】
１…サーバ装置、２…制御部、３…記憶部、４…表示部、５…入力部、６…通信部、
７…ユーザ端末装置、７Ａ…ユーザ端末装置、８、８Ａ…ネットワーク、
９…店舗端末装置、８Ａ…ネットワーク、２０…会員登録手段、２１…写真受付手段、
２２…行動情報抽出手段、２３…ポイント算出手段、２４…案内情報提供手段、
２５…テーマ・ミッション提示手段、３０…写真管理プログラム、
３１…会員登録情報、３２…写真ポイント情報、３２ａ…写真情報、
３３…ポイント表、３４…顔登録情報、７０…制御部、７１…記憶部、
７２…表示操作部、７３…無線通信部、７４…カメラ、
７５…マイク（ＭＩＣ）、７６…スピーカ（ＳＰ）、９０…会員コード読取部、
１００…写真管理システム、７１０…プログラム、７１１…会員コード
７２０…テーマ・ミッション検索画面、７２０ａ…検索窓、７２０ｂ…カテゴリー欄、
７２０ｃ…新規・人気一覧、７２１…テーマ・ミッションポップアップ画面、
７２１ａ…ミッション表示欄、７２１ｂ…サンプル写真、７２１ｃ…カメラアイコン
【図１】
2016053941.tif 000003
【図２】
2016053941.tif 000004
【図３】
2016053941.tif 000005
【図４】
2016053941.tif 000006
【図５】
2016053941.tif 000007
【図６】
2016053941.tif 000008
【図７】
2016053941.tif 000009
【手続補正書】
【提出日】平成27年10月29日(2015.10.29)
【手続補正１】
【補正対象書類名】特許請求の範囲
【補正対象項目名】全文
【補正方法】変更
【補正の内容】
【特許請求の範囲】
【請求項１】
コンピュータを、
会員を識別する会員識別情報とともに、撮影画像データを受け付ける受付手段と、
前記受付手段により受け付けられた前記撮影画像データから被写体名を抽出する抽出手段と、
指定された被写体を含む前記撮影画像データが含まない前記撮影画像データよりも高いポイントが規定されたポイント表を参照し、前記抽出手段による抽出結果に基づいて前記撮影画像データごとにポイントを算出し、前記ポイントを前記会員識別情報に関係付けて記憶手段に登録するポイント算出手段として機能させるための写真・動画用プログラム。
【請求項２】
コンピュータを、
会員を識別する会員識別情報とともに、撮影画像データと前記撮影画像データに付随している場合には撮影時のカメラの状態を示す撮影情報とを含む画像情報を受け付ける受付手段と、
前記受付手段により受け付けられた前記画像情報のうち、前記撮影画像データから被写体名を取得し、前記撮影情報から撮影日及び撮影場所を取得し、前記被写体名、前記撮影日及び前記撮影場所を前記会員の行動情報として抽出する行動情報抽出手段と、
前記受付手段により受け付けられた前記画像情報の内容が、前記撮影画像データのみ、前記撮影画像データと前記撮影情報の順に従い高いポイントが規定され、かつ、指定された被写体を含む前記撮影画像データが含まない前記撮影画像データよりも高いポイントが規定されたポイント表を参照し、前記行動情報抽出手段により抽出された前記行動情報に基づいて前記撮影画像データごとにポイントを算出し、前記ポイントを前記会員識別情報に関係付けて記憶手段に登録するポイント算出手段として機能させるための写真・動画用プログラム。
【請求項３】
コンピュータを、
会員を識別する会員識別情報とともに、撮影画像データと前記撮影画像データに付随している場合には、撮影時のカメラの状態を示す撮影情報及び前記撮影画像データに対するコメント情報とを含む画像情報を受け付ける受付手段と、
前記受付手段により受け付けられた前記画像情報のうち、前記撮影画像データから被写体名を取得し、前記撮影情報から撮影日及び撮影場所を取得し、前記被写体名、前記撮影日及び前記撮影場所を前記会員の行動情報として抽出する行動情報抽出手段と、
前記受付手段により受け付けられた前記画像情報の内容が、前記撮影画像データのみ、前記撮影画像データと前記撮影情報、前記撮影画像データと前記撮影情報と前記コメント情報の順に従い高いポイントが規定され、かつ、指定された被写体を含む前記撮影画像データが含まない前記撮影画像データよりも高いポイントが規定されたポイント表を参照し、前記行動情報抽出手段により抽出された前記行動情報に基づいて前記撮影画像データごとにポイントを算出し、前記ポイントを前記会員識別情報に関係付けて記憶手段に登録するポイント算出手段として機能させるための写真・動画用プログラム。
【請求項４】
会員を識別する会員識別情報とともに、撮影画像データを受け付ける受付手段と、
前記受付手段により受け付けられた前記撮影画像データから被写体名を抽出する抽出手段と、
指定された被写体を含む前記撮影画像データが含まない前記撮影画像データよりも高いポイントが規定されたポイント表を参照し、前記抽出手段による抽出結果に基づいて前記撮影画像データごとにポイントを算出し、前記ポイントを前記会員識別情報に関係付けて記憶手段に登録するポイント算出手段と、
を備えた写真・動画用サーバ装置。
【手続補正３】
【補正対象書類名】明細書
【補正対象項目名】０００８
【補正方法】変更
【補正の内容】
【０００８】
本発明の目的は、会員に大きな負担をかけずに会員の商品又はサービスに対する嗜好傾向を把握することが可能な写真・動画用プログラム及び写真・動画用サーバ装置を提供することにある。
【手続補正４】
【補正対象書類名】明細書
【補正対象項目名】０００９
【補正方法】変更
【補正の内容】
【０００９】
本発明は、上記目的を達成するため、コンピュータを、会員を識別する会員識別情報とともに、撮影画像データを受け付ける受付手段と、前記受付手段により受け付けられた前記撮影画像データから被写体名を抽出する抽出手段と、指定された被写体を含む前記撮影画像データが含まない前記撮影画像データよりも高いポイントが規定されたポイント表を参照し、前記抽出手段による抽出結果に基づいて前記撮影画像データごとにポイントを算出し、前記ポイントを前記会員識別情報に関係付けて記憶手段に登録するポイント算出手段として機能させるための写真・動画用プログラムを提供する。